(57)【特許請求の範囲】
【請求項１】
パチンコ機の前面側を開閉するガラス扉を本体枠にヒンジ機構を介して取り付けたパチンコ機において、
前記ガラス扉又は前記本体枠のヒンジ機構側に、該ガラス扉を閉じたときの該ガラス扉と該本体枠との隙間を塞ぐ弾性変形可能な隙間閉塞部材が設けられ、
前記ガラス扉を閉鎖する過程で前記隙間閉塞部材が相手側の部材である前記本体枠又は前記ガラス扉の内壁面に対してほぼ直交方向から当接することで該ガラス扉と該本体枠との隙間を塞ぐように構成されていることを特徴とするパチンコ機。
【請求項２】
前記隙間閉塞部材は、前記ガラス扉のヒンジ機構側に設けられた金属フレームに取り付けられていることを特徴とする請求項１に記載のパチンコ機。
【請求項３】
前記隙間閉塞部材は、弾性のある金属板で形成されていることを特徴とする請求項１又は２に記載のパチンコ機。
【発明の詳細な説明】
【０００１】
【発明の属する技術分野】
本発明は、パチンコ機の前面側を開閉するガラス扉等の開閉扉を備えたパチンコ機に関するものである。
【０００２】
【従来の技術】
従来の一般的なパチンコ機は、遊技盤の前面側を覆うガラス扉や、球皿を設けた前面パネルを、ヒンジ機構を介してパチンコ機の本体枠に開閉可能に取り付けて、メインテナンス時等にガラス扉や前面パネルを前方に開放できるようにしている。これらガラス扉や前面パネル等の開閉扉を開閉する際に、ヒンジ機構周辺で開閉扉が本体枠と干渉して損傷したり開閉不能になるのを防止するために、ヒンジ機構周辺には開閉扉と本体枠との間に若干の隙間（クリアランス）を設けるようにしている。
【０００３】
【発明が解決しようとする課題】
上述したように、開閉扉と本体枠との間のヒンジ機構周辺の隙間は、開閉扉を開閉する際に開閉扉が本体枠と干渉するのを避けるために必要であるため、開閉扉を閉じた状態でも、開閉扉と本体枠との間のヒンジ機構周辺に隙間が残されてしまう。このため、遊技者がその隙間から針金やプラスチック板等の異物を侵入させて内部の入賞装置等を不正操作する等の不正行為が行われる可能性がある。
【０００４】
本発明はこのような事情を考慮してなされたものであり、従ってその目的は、遊技者が開閉扉と支持部材との隙間から異物を侵入させる不正行為を未然に防止できるパチンコ機を提供することにある。
【０００５】
【課題を解決するための手段】
上記目的を達成するために、本発明の請求項１のパチンコ機は、ガラス扉又は本体枠のヒンジ機構側に、ガラス扉を閉じたときのガラス扉と本体枠との隙間を塞ぐ弾性変形可能な隙間閉塞部材を設け、ガラス扉を閉鎖する過程で前記隙間閉塞部材が相手側の部材である本体枠又はガラス扉の内壁面に対してほぼ直交方向から当接することで該ガラス扉と該本体枠との隙間を塞ぐように構成したものである。この構成では、ガラス扉を閉じたときの隙間を弾性変形可能な隙間閉塞部材で塞ぐことができるので、遊技者が該隙間から針金やプラスチック板等の異物を侵入させることを隙間閉塞部材で防止することができ、該隙間を利用した不正行為を未然に防止することができる。しかも、該隙間を塞ぐ手段として弾性変形可能な隙間閉塞部材を用いるので、ガラス扉を開閉する際に該隙間閉塞部材が相手側の部材である本体枠又はガラス扉の内壁面に接触しても、該隙間閉塞部材が弾性変形することで、相手側の部材である本体枠又はガラス扉の内壁面の損傷等を防止できる。更に、ガラス扉と本体枠との隙間寸法が各部品の寸法誤差や組付誤差によってばらついても、その隙間寸法のばらつきを隙間閉塞部材の弾性変形によって吸収することができるので、ガラス扉の閉鎖時に該隙間閉塞部材が適度に弾性変形して相手側の部材である本体枠又はガラス扉の内壁面に当接するように設計することができ、該隙間を確実に塞ぐことができる。このように、ガラス扉と本体枠との隙間を確実に塞ぐ構造を実現しながら、各部品の寸法公差や組付精度を厳しく管理する必要がなく、低コストで不正行為に対する防犯性を向上することができる。
【０００６】
この場合、請求項２のように、ガラス扉のヒンジ機構側に金属フレームが設けられた構成では、この金属フレームに隙間閉塞部材を取り付けるようにすると良い。このようにすれば、ガラス扉に設けられた金属フレームを利用して隙間閉塞部材をガラス扉のヒンジ機構側に簡単かつ強固に取り付けることができると共に、金属フレームと隙間閉塞部材とによって異物の侵入を確実に防止できる。
【０００７】
また、隙間閉塞部材を形成する材料は、プラスチック、ゴム等、種々の材料が考えられるが、請求項３のように、隙間閉塞部材を、弾性のある金属板で形成するようにしても良い。このようにすれば、隙間閉塞部材を弾性変形可能としながら、隙間閉塞部材に十分な強度を持たせることができ、異物の侵入防止効果を更に高めることができる。
【０００８】
【発明の実施の形態】
以下、本発明の一実施形態を図面に基づいて説明する。
まず、図１に基づいてパチンコ機の前面側の構成を概略的に説明する。パチンコ機の本体枠１１（支持部材）には、遊技盤１２が取り付けられ、この遊技盤１２に、センター役物、入賞口、入賞装置等（図示せず）が設けられている。遊技盤１２の前面側には、ガラス扉１３（開閉扉）が設けられ、このガラス扉１３には、ガラス１４（図３、図４参照）が遊技盤１２に対して所定の間隔を隔てて取り付けられている。また、ガラス扉１３の前面側周縁部には、装飾カバー１８（図３、図４参照）が取り付けられている。
【０００９】
一方、本体枠１１の前面側下部には、前面パネル１５が設けられ、この前面パネル１５に、パチンコ球を貯溜する大容量の球皿１６が１皿のみ設けられている。この球皿１６の右側下方部に、球発射装置（図示せず）の発射操作ハンドル１７が設けられている。
【００１０】
次に、ガラス扉１３の取付構造を図２乃至図５に基づいて説明する。
図２に示すように、ガラス扉１３の裏面端部には、補強用の金属フレーム１９が上下方向に延びるように取り付けられている。この金属フレーム１９の上端部にヒンジ軸２０が設けられ、金属フレーム１９の下端部に、軸穴を有するヒンジ受け部２１が設けられている。そして、ガラス扉１３上側のヒンジ軸２０を本体枠１１のヒンジ受け部材（図示せず）の軸穴に嵌合すると共に、ガラス扉１３下側のヒンジ受け部材２１の軸穴を本体枠１１のヒンジ軸（図示せず）に嵌合することで、ガラス扉１３が本体枠１１に開閉可能に取り付けられている。これらガラス扉１３のヒンジ軸２０及びヒンジ受け部２１と本体枠１１のヒンジ受け部材及びヒンジ軸によってヒンジ機構が構成されている。
【００１１】
また、金属フレーム１９には、ガラス扉１３と本体枠１１との隙間を塞ぐための弾性変形可能な隙間閉塞部材２２が、金属フレーム１９に沿って上下方向に延びるように取り付けられている。尚、本実施形態では、金属フレーム１９の上部側に隙間閉塞部材２２で塞がない部分を少しだけ残して、これを配線用の隙間として利用するようにしている。
【００１２】
図６に示すように、隙間閉塞部材２２は、弾性のある薄板状のステンレス板等の金属板を折曲加工して形成され、先端部２２ａが丸く折り曲げられ、基端部２２ｂがスポット溶接等で金属フレーム１９に固定されている。この隙間閉塞部材２２は、ガラス扉１３を閉じたときに、本体枠１１の内壁１１ａとガラス扉１３の金属フレーム１９との隙間に位置して、先端部２２ａが本体枠１１の内壁１１ａに適度な弾性力で当接するようになっている。
【００１３】
以上のように構成したパチンコ機では、ガラス扉１３を開放する際には、図４に示すように、ガラス扉１３をヒンジ機構側を軸にして前方に回動して開放する。この際、ガラス扉１３の金属フレーム１９に固定された隙間閉塞部材２２は、ガラス扉１３と一体に前方に移動する。
【００１４】
一方、ガラス扉１３を閉鎖する際には、図３に示すように、ガラス扉１３をヒンジ機構側を軸にして後方に全閉位置まで回動する。このガラス扉１３の閉鎖に伴って、隙間閉塞部材２２は、本体枠１１の内壁１１ａとガラス扉１３の金属フレーム１９との隙間に移動して、その先端部２２ａが本体枠１１の内壁１１ａに対してほぼ直交方向から適度な弾性力で当接して、ガラス扉１３と本体枠１１との隙間が隙間閉塞部材２２によって塞がれる。これにより、遊技者がガラス扉１３と本体枠１１との隙間から針金等の異物を侵入させて内部の入賞装置等を不正操作する等の不正行為を未然に防止することができる。
【００１５】
しかも、本実施形態では、ガラス扉１３と本体枠１１との隙間を塞ぐ手段として弾性変形可能な隙間閉塞部材２２を用いるので、ガラス扉１３を開閉する際に隙間閉塞部材２２が相手側の部材（本体枠１１）に接触しても、該隙間閉塞部材２２が弾性変形することで、相手側の部材（本体枠１１）の損傷等を防止することができる。更に、ガラス扉１３と本体枠１１との隙間が各部品の寸法誤差や組付誤差によってばらついても、その隙間寸法のばらつきを隙間閉塞部材２２の弾性変形によって吸収することができるので、ガラス扉１３の閉鎖時に隙間閉塞部材２２が適度に弾性変形して相手側の部材（本体枠１１）に当接するように設計することができて、ガラス扉１３と本体枠１１との隙間を確実に塞ぐことができる。このように、ガラス扉１３と本体枠１１との隙間を確実に塞ぐ構造を実現しながら、各部品の寸法公差や組付精度を厳しく管理する必要がなく、低コストで不正行為に対する防犯性を向上することができる。
【００１６】
また、本実施形態では、ガラス扉１３の金属フレーム１９に隙間閉塞部材２２を取り付けるようにしたので、ガラス扉１３の金属フレーム１９を利用して隙間閉塞部材２２をガラス扉１３に簡単かつ強固に取り付けることができると共に、金属フレーム１９と隙間閉塞部材２２とによって異物の侵入を確実に防止することができる。
【００１７】
更に、本実施形態では、隙間閉塞部材２２を金属板で形成したので、隙間閉塞部材２２に適度な弾性を持たせながら、十分な強度を確保することができ、異物の侵入防止効果を高めることができる。
【００１８】
尚、上記実施形態では、隙間閉塞部材２２をガラス扉１３の金属フレーム１９に取り付けたが、隙間閉塞部材２２をガラス扉１３の金属フレーム１９以外の場所に取り付けるようにしても良い。或は、隙間閉塞部材２２を本体枠１１に取り付けるようにしても良い。
【００２０】
その他、本発明は、隙間閉塞部材２２の形状を適宜変更したり、隙間閉塞部材２２を金属板以外の弾性を有する材料（例えば樹脂、ゴム）で形成しても良い等、要旨を逸脱しない範囲で種々変更して実施することができる。
【００２１】
【発明の効果】
以上の説明から明らかなように、本発明の請求項１のパチンコ機によれば、ガラス扉又は本体枠のヒンジ機構側に、ガラス扉を閉じたときのガラス扉と本体枠との隙間を塞ぐ弾性変形可能な隙間閉塞部材を設け、ガラス扉を閉鎖する過程で該隙間閉塞部材が相手側の部材である本体枠又はガラス扉の内壁面に対してほぼ直交方向から当接することで該ガラス扉と該本体枠との隙間を塞ぐように構成したので、各部品の寸法公差や組付精度を厳しくすることなく、隙間を塞ぐことができ、遊技者がガラス扉と本体枠との隙間から異物を侵入させる不正行為を低コストな手段で未然に防止することができる。
【００２２】
また、請求項２では、ガラス扉のヒンジ機構側に設けられた金属フレームに隙間閉塞部材を取り付けるようにしたので、隙間閉塞部材をガラス扉のヒンジ機構側に簡単かつ強固に取り付けることができると共に、金属フレームと隙間閉塞部材とによって異物の侵入を確実に防止できる。
【００２３】
更に、請求項３では、隙間閉塞部材を、弾性のある金属板で形成するようにしたので、隙間閉塞部材に十分な強度を持たせることができ、異物の侵入防止効果を更に高めることができる。
【図面の簡単な説明】
【図１】本発明の一実施形態を示すパチンコ機の正面図
【図２】ガラス扉の裏面図
【図３】ガラス扉閉鎖時の図１のＡ−Ａ断面図
【図４】ガラス扉開放時の図１のＡ−Ａ断面図
【図５】ガラス扉閉鎖時の図１のＢ−Ｂ断面図
【図６】開閉扉と支持部材との隙間を隙間閉塞部材で塞ぐ状態を示す拡大断面図
【符号の説明】
１１…本体枠（支持部材）、１２…遊技盤、１３…ガラス扉（開閉扉）、１９…金属フレーム、２０…ヒンジ軸（ヒンジ機構）、２１…ヒンジ受け部（ヒンジ機構）、２２…隙間閉塞部材。
【図１】
0004443072.tif 000002
【図２】
0004443072.tif 000003
【図３】
0004443072.tif 000004
【図４】
0004443072.tif 000005
【図５】
0004443072.tif 000006
【図６】
0004443072.tif 000007